(57)【要約】【課題】流れ点灯式照明システム、及び同システムに用いられる制御装置において、複数個の光源をそれぞれが流れ点灯制御する複数の制御装置による一連のスムーズな流れ点灯を行なう。【解決手段】流れ点灯式照明システム１は、ＬＥＤ３１〜３Ｎと、ＬＥＤ３１〜３Ｍを流れ点灯制御する制御装置２ｉと、ＬＥＤ３Ｍ＋１〜３Ｎを流れ点灯制御する制御装置２ｉ＋１とを備える。制御装置２ｉの送信部６ｉは、一連の流れ点灯制御のため点灯タイミングを通知する通知信号を、流れ点灯順序における後段の制御装置２ｉ＋１に送信する。制御装置２ｉ＋１の受信部４ｉ＋１はこの通知信号を受信し、マイコン５ｉ＋１は、この通知信号をトリガとして、ＬＥＤ３Ｍ＋１〜３Ｎに点灯制御のための制御信号を順に送信する。このようにして、複数個のＬＥＤ３１〜３Ｎをそれぞれが流れ点灯制御する制御装置２ｉ、２ｉ＋１による一連のスムーズな流れ点灯が可能となる。【選択図】図１
2007317483.tif 000002
【特許請求の範囲】
【請求項１】
複数の光源と、これらの光源の点灯状態を順に変移させることにより、該光源を流れ点灯制御する制御装置と、を備えた流れ点灯式照明システムにおいて、
前記制御装置は、流れ点灯順序が設定されて複数台設けられ、
前記複数台の制御装置は、それぞれ、
流れ点灯順序における前段の制御装置から送信される、一連の流れ点灯制御のため点灯タイミングを通知する通知信号を受信する受信部と、
前記受信部が前記通知信号を受信したとき、前記複数の光源に対して、これらの光源を順に点灯制御するための制御信号を送信する点灯制御部と、
前記点灯制御部からの信号に基づき、流れ点灯順序における後段の制御装置に対して前記通知信号を送信する送信部と、を備えることを特徴とする流れ点灯式照明システム。
【請求項２】
前記制御装置の点灯制御部は、
前記受信部が前段の制御装置からの前記通知信号を受信したとき、この通知信号に基づき、最初に点灯状態を変移させる光源を点灯制御するための前記制御信号を、前段の制御装置に対して前記送信部により送信し、
前記受信部が後段の制御装置からの前記制御信号を受信したとき、この制御信号に基づき、後段の制御装置に対して送信する前記通知信号の送信タイミングを制御することを特徴とする請求項１に記載の流れ点灯式照明システム。
【請求項３】
請求項１又は請求項２に記載の流れ点灯式照明システムに用いられる制御装置。
【発明の詳細な説明】
【技術分野】
【０００１】
本発明は、複数の光源を流れ点灯させる流れ点灯式照明システム、及び同システムに用いられる制御装置に関する。
【背景技術】
【０００２】
従来から、流れ点灯式照明システムとして、例えば、料金所への誘導路に安全且つ所定の速度を保って車両を誘導するため、複数の光源を点滅させることで自動車道路の料金所への誘導路に車両を誘導する車両誘導用照明装置が知られている（例えば、特許文献1参照）。この車両誘導用照明装置は、光軸を誘導路の車両進入側に向けて誘導路の車両進行方向に沿って配置される複数の光源と、各光源を高輝度点灯状態と低輝度点灯状態に切り換えて点滅させる制御装置とを備える。この制御装置は、高輝度点灯状態となる光源が誘導路の車両進入側から車両退出側へと順次変移するように各光源を点滅させると共に、変移の速さを誘導路における車両の移動速さよりも速くする。
【特許文献１】特開２００１−３１２７９４号公報
【発明の開示】
【発明が解決しようとする課題】
【０００３】
しかしながら、特許文献１に記載の技術では、同一の制御装置により複数の光源の点灯タイミングを制御し、流れ点灯を実現することは可能であったが、複数の制御装置により複数の光源を点灯制御して流れ点灯を実現する場合、異なる制御装置によりそれぞれ点灯制御される異なる光源の点灯タイミングを相関させて、複数台の制御装置により一連のスムーズな流れ点灯を実現することが困難であった。
【０００４】
本発明は、上記従来の問題を解決するためになされたものであり、複数個の光源をそれぞれが流れ点灯制御する複数の制御装置によって、一連のスムーズな流れ点灯を可能とする流れ点灯式照明システム、及び同システムに用いられる制御装置を提供することを目的とする。
【課題を解決するための手段】
【０００５】
上記目的を達成するために請求項１の発明は、複数の光源と、これらの光源の点灯状態を順に変移させることにより、該光源を流れ点灯制御する制御装置と、を備えた流れ点灯式照明システムにおいて、前記制御装置は、流れ点灯順序が設定されて複数台設けられ、前記複数台の制御装置は、それぞれ、流れ点灯順序における前段の制御装置から送信される、一連の流れ点灯制御のため点灯タイミングを通知する通知信号を受信する受信部と、前記受信部が前記通知信号を受信したとき、前記複数の光源に対して、これらの光源を順に点灯制御するための制御信号を送信する点灯制御部と、前記点灯制御部からの信号に基づき、流れ点灯順序における後段の制御装置に対して前記通知信号を送信する送信部と、を備えるものである。
【０００６】
請求項２の発明は、請求項１に記載の流れ点灯式照明システムにおいて、前記制御装置の点灯制御部は、前記受信部が前段の制御装置からの前記通知信号を受信したとき、この通知信号に基づき、最初に点灯状態を変移させる光源を点灯制御するための前記制御信号を、前段の制御装置に対して前記送信部により送信し、前記受信部が後段の制御装置からの前記制御信号を受信したとき、この制御信号に基づき、後段の制御装置に対して送信する前記通知信号の送信タイミングを制御するものである。
【０００７】
請求項３の発明は、請求項１又は請求項２に記載の流れ点灯式照明システムに用いられる制御装置である。
【発明の効果】
【０００８】
請求項１の発明によれば、１台の制御装置から後段の制御装置に対して通知信号が送信され、後段の制御装置がこの通知信号を受信したとき、該装置による複数の光源の点灯制御が行なわれるので、１台の制御装置による流れ点灯に続く、次の制御装置による流れ点灯が可能となる。さらに、通知信号の送信タイミングを調整することにより、後段の制御装置による流れ点灯の開始時間を調整でき、複数個の光源をそれぞれが流れ点灯制御する複数の制御装置によって、一連のスムーズな流れ点灯が可能となる。
【０００９】
請求項２の発明によれば、後段の制御装置の点灯制御部は、最初に点灯状態を変移させる光源を点灯制御するための制御信号を前段の制御装置に対して送信するので、制御装置は、自装置による流れ点灯の終了時間と、後段の制御装置による流れ点灯の開始時間との時間間隔を把握することができる。従って、この時間間隔に基づいて、後段の制御装置に対して送信する通知信号の送信タイミングを自動で制御することができ、これにより、複数個の光源をそれぞれが流れ点灯制御する複数の制御装置によって、一連のスムーズな流れ点灯が可能となる。
【００１０】
請求項３の発明によれば、制御装置を複数台設け、これらに流れ設定順序を設定することにより、一連のスムーズな流れ点灯が可能な流れ点灯制御システムを構築することができる。
【発明を実施するための最良の形態】
【００１１】
本発明の第１の実施形態に係る流れ点灯式照明システム、及び同システムに用いられる制御装置について図１乃至図３を参照して説明する。図１は、本実施形態による流れ点灯式照明システム１、及び同システムに用いられる制御装置２の電気的構成を示す。ここで、Ｎ、Ｍ、ｉを任意の正の整数とし、ＮとＭとの間には、Ｎ＞Ｍが成り立つものとする。
【００１２】
流れ点灯式照明システム１は、複数個のＬＥＤ（Ｌｉｇｈｔ  Ｅｍｉｔｔｉｎｇ  Ｄｉｏｄｅ）３（光源）と、これらのＬＥＤ３の点灯状態を順に変移させることにより、ＬＥＤ３を流れ点灯制御する制御装置２と、を備える。ここで、ＬＥＤ３はＮ個設けられるとする。Ｎ個のＬＥＤ３１〜３Ｎは、例えば、ＬＥＤ３１からＬＥＤ３Ｎの順で、直線上又は曲線上に一列に、且つ、等間隔に配置される。また、制御装置２は、流れ順序が設定されて複数台設けられる。これらの制御装置２のうち、例えば、隣り合う２台の制御装置２ｉ、２ｉ＋１について以下に説明する。制御装置２ｉは、ＬＥＤ３１〜３ＮのうちＬＥＤ３１〜３Ｍを点灯制御する装置であり、制御装置２ｉ＋１は、残りのＬＥＤ３Ｍ＋１〜３Ｎを点灯制御する装置である。これらの制御装置２ｉ、２ｉ＋１の流れ点灯順序は、点灯制御するＬＥＤ３１〜３Ｎの流れ点灯順序に基づいて設定される。例えば、ＬＥＤ３１〜３Ｎを、ＬＥＤ３１からＬＥＤ３Ｎの順番で流れ点灯するように設定する場合、上記の通り、ＬＥＤ３１〜３Ｍは制御装置２ｉにより、ＬＥＤ３Ｍ＋１〜３Ｎは制御装置２ｉ＋１により点灯制御されるので、制御装置２ｉ、２ｉ＋１の流れ点灯順序において、制御装置２ｉが前段となり、制御装置２ｉ＋１が後段となる。
【００１３】
制御装置２ｉは、流れ点灯順序における前段の制御装置２ｉ−１（不図示）から送信される信号を受信する受信部４ｉと、ＬＥＤ３１〜３Ｍに対して、これらを順に点灯制御のための制御信号を送信することにより、これらを流れ点灯制御するマイクロコンピュータ（以下、マイコンと略す）５ｉ（点灯制御部）と、マイコン５ｉからの信号に基づき、流れ点灯順序における後段の制御装置２ｉ＋１に対して信号を送信する送信部６ｉと、を備える。この制御装置２ｉにより流れ点灯制御されるＬＥＤ３１〜３Ｍの個数Ｍは、例えば８〜１６個である。
【００１４】
送信部６ｉは、長距離通信の場合、送信する信号を増幅するためのトランジスタ等を含む送信回路で構成され、近距離通信の場合、マイコン５ｉからの信号をそのまま出力するための送信回路で構成される。これらの送信回路は、有線により信号を送出するための回路であっても、無線により信号を送信するための回路であってもよい。このように構成される送信部６ｉが、後段の制御装置２ｉ＋１に対して送信する信号には、一連の流れ点灯制御のため点灯タイミングを通知する通知信号が含まれる。
【００１５】
受信部４ｉは、長距離通信の場合、受信した信号を増幅するためのトランジスタ等を含む受信回路で構成され、近距離通信の場合、前段の制御装置２ｉ−１からの信号をそのまま受信するための受信回路で構成される。これらの受信回路は、有線により信号を受信するための回路であっても、無線により信号を受信するための回路であってもよい。このように構成される受信部４ｉが前段の制御装置２ｉ−１から受信する信号には、上記の通知信号が含まれる。
【００１６】
マイコン５ｉは、ＣＰＵ（Ｃｅｎｔｒａｌ  Ｐｒｏｃｅｓｓｉｎｇ  Ｕｎｉｔ）を含み、このＣＰＵにより、受信部４ｉが通知信号を受信したとき、受信部４ｉからの信号に基づいて、一連の流れ点灯制御の順番が回ってきたことを把握する。そのときマイコン５ｉは、受信部４ｉからの該信号をトリガとして、ＬＥＤ３１〜３Ｍによる流れ点灯を開始する。流れ点灯は、点灯／消灯を指示するＯＮ／ＯＦＦ信号から成る制御信号がマイコン５ｉからＬＥＤ３１〜３Ｍへ個別に送信されることによりなされる。ＬＥＤ３１〜３Ｍに対する制御信号の個別送信は、例えば、ＬＥＤ３１〜３Ｍに対応付けられたスイッチング素子によりなされる。このスイッチング素子はマイコン５ｉに含まれる。また、制御信号の個別送信は、ＬＥＤ３１〜３Ｍの夫々に、固有のアドレスが設定された点灯制御回路を接続し、この点灯制御回路が、自身のアドレスと一致するアドレスデータを含む制御信号を、自身に対する信号と認識することによりなされても構わない。
【００１７】
さらに、マイコン５ｉは、ＬＥＤ３１〜３Ｍによる流れ点灯の流れを、ＬＥＤ３Ｍ＋１〜３Ｎによる流れ点灯へと繋げるため、後段の制御装置２ｉ＋１に対して通知信号を送信部６ｉにより送信する。この通知信号は、例えば、マイコンの汎用ポートから出力されるＨｉｇｈ／Ｌｏｗの値を持つ信号である。この信号の具体例には、値がＬｏｗからＨｉｇｈへ切り替わるステップ信号がある。上記のような流れ点灯制御は、劇場等での調光制御の際に用いられるＤＭＸ５１２信号等により可能となるが、１台の制御装置により流れ点灯制御を行なう場合と比べて、制御装置の構成やその操作方法が複雑となる。これに対して、本実施形態による流れ点灯制御によれば、上記のような通知信号を送受信するだけでよいので、通信のため信号のコード化や複雑な計算を行なう通信用ＩＣ（Ｉｎｔｅｇｒａｔｅｄ  Ｃｉｒｃｕｉｔ）等は不要となる。このため、１台の制御装置により流れ点灯制御を行なう場合と比べて、制御装置の構成に大幅な変更を加えることなく、複数台の制御装置２による一連の流れ点灯制御が可能となる。
【００１８】
上記のように構成される制御装置２ｉと同様に、該装置の後段である制御装置２ｉ＋１は、前段の制御装置２ｉから送信される通知信号を受信する受信部４ｉ＋１と、受信部４ｉ＋１が通知信号を受信したとき、ＬＥＤ３１〜３ＮのうちＬＥＤ３Ｍ＋１〜３Ｎに対して、点灯制御のための制御信号を順に送信するマイコン５ｉ＋１と、マイコン５ｉ＋１からの信号に基づき、流れ点灯順序における後段の制御装置２ｉ＋２（不図示）に対して通知信号を送信する送信部６ｉ＋１と、を備える。この制御装置２ｉ＋１により流れ点灯制御されるＬＥＤ３Ｍ＋１〜３Ｎの個数Ｎ−Ｍは、例えば８〜１６個である。制御装置２ｉ＋１を構成する各部の詳細は、上記制御装置２ｉのそれと同様である。
【００１９】
図２は、制御装置２ｉによるＬＥＤ３１〜３Ｍの流れ点灯動作を示す。ここで、ＬＥＤ３１〜３Ｍは、ＬＥＤ３１からＬＥＤ３Ｍの順で流れ点灯すると仮定する。まず、制御装置２ｉの受信部４ｉが、前段の制御装置２ｉ−１から送信される通知信号を受信する（＃１０１）。マイコン５ｉは、受信部４ｉが通知信号を受信したとき、ＬＥＤ３１を点灯させるため、ＬＥＤ３１に対して、点灯を指示するＯＮ信号を送信する（＃１０２）。ＬＥＤ３１は、所定の点灯時間ＴＯＮだけ点灯した後、マイコン５ｉからの消灯を指示するＯＦＦ信号に基づいて消灯される（＃１０３）。消灯時間ＴＯＦＦだけ時間間隔が空けられた後（＃１０４）、ＬＥＤ３２が、マイコン５ｉからのＯＮ信号により点灯される（＃１０５）。ＬＥＤ３２は、所定の点灯時間ＴＯＮだけ点灯した後、マイコン５ｉからのＯＦＦ信号に基づいて消灯される（＃１０６）。ＬＥＤ３２の消灯後、消灯時間ＴＯＦＦだけ時間間隔が空けられ（＃１０７）、上記の点灯動作が同様に繰り返される。そして最後に、ＬＥＤ３Ｍがマイコン５ｉからのＯＦＦ信号に応じて点灯し、その後、消灯する（＃１０８）。このようにして、ＬＥＤ３１〜３Ｍはマイコン５ｉにより流れ点灯制御される。一連の流れ点灯を行なうため、マイコン５ｉは、ＬＥＤ３１〜３Ｍを順に点灯させた後、流れ点灯順序において後段に該当する制御装置２ｉ＋１に対して送信部６ｉにより通知信号を送信する（＃１０９）。このように、１台の制御装置２ｉから後段の制御装置２ｉ＋１に対して、一連の流れ点灯制御のため点灯タイミングを通知する通知信号が送信されるので、後段の制御装置２ｉ＋１がこの通知信号を受信したとき、この制御装置２ｉ＋１が上記と同様にＬＥＤ３Ｍ＋１〜３Ｎの流れ点灯制御を行なうことにより、制御装置２ｉによる流れ点灯に続く、後段の制御装置２ｉ＋１による流れ点灯が可能となる。
【００２０】
図３は、制御装置２ｉにより流れ点灯制御されるＬＥＤ３Ｍ−１、３Ｍの点灯タイミングと、制御装置２ｉ＋１により流れ点灯制御されるＬＥＤ３Ｍ＋１の点灯タイミングと、制御装置２ｉから送信される通知信号の送信タイミングとを示す。上記のように制御装置２ｉによりＬＥＤ３Ｍ−１、３Ｍのそれぞれが、順に、点灯時間ＴＯＮだけ点灯し、その後消灯したとする。ＬＥＤ３Ｍ−１が消灯してからＬＥＤ３Ｍが点灯するまでの時間が、上記の消灯時間ＴＯＦＦであったとする。
【００２１】
制御装置２ｉは、ＬＥＤ３Ｍ−１、３Ｍによる流れ点灯の流れを、ＬＥＤ３Ｍ＋１以降のＬＥＤ３による流れ点灯へと繋げるため、後段の制御装置２ｉ＋１に対して通知信号を送信する。この通知信号は、例えば、ステップ信号から成り、ＬＥＤ３Ｍの点灯中に送出される。制御装置２ｉ＋１は、この通知信号を受信し、この信号をトリガとしてＬＥＤ３Ｍ＋１を点灯させる。ＬＥＤ３Ｍ＋１は、マイコン等の処理時間が経過した後、点灯時間ＴＯＮだけ点灯する。ここで、ＬＥＤ３Ｍ消灯からＬＥＤ３Ｍ＋１点灯までの消灯時間がＴｄであったとする。なお、通知信号の送信タイミングはＬＥＤ３Ｍの点灯前又は消灯後であってもよい。
【００２２】
ＬＥＤ３Ｍ＋１点灯のトリガとなる通知信号の送信タイミングは、流れ点灯式照明システム１を構築するため制御装置２ｉ、２ｉ＋１を備え付ける際、初期設定により調整される。この調整は、ユーザが、ＬＥＤ３Ｍ消灯後のＬＥＤ３Ｍ＋１の点灯タイミング、すなわち消灯時間Ｔｄを計りながら、不図示の操作キー等から成る操作部を操作することにより行なわれる。消灯時間Ｔｄが消灯時間ＴＯＦＦより長い場合、通知信号の送信タイミングは早められ、消灯時間Ｔｄが消灯時間ＴＯＦＦより短い場合、通知信号の送信タイミングは遅らされる。このように通知信号の送信タイミングを調整することにより、制御装置２ｉ＋１によるＬＥＤ３Ｍ＋１の点灯開始時間、すなわち、制御装置２ｉ＋１による流れ点灯の開始時間が調整される。従って、上記の消灯時間ＴＯＦＦと、制御装置２ｉによるＬＥＤ３Ｍの消灯と制御装置２ｉ＋１によるＬＥＤ３Ｍ＋１の点灯との間の消灯時間Ｔｄとを同じ時間にできる。このため、ＬＥＤ３１〜３Ｍを流れ点灯制御する制御装置２ｉと、ＬＥＤ３Ｍ＋１〜３Ｎを流れ点灯制御する制御装置２ｉ＋１によって、一連のスムーズな流れ点灯が可能となる。また、制御装置２ｉによる通知信号の最適な送信タイミングが設定された場合、他の制御装置２の通知信号送信タイミングについても同様に設定すればよい。このため、全制御装置２の通知信号送信タイミングを容易に合わせることができる。
【００２３】
次に、本発明の第２の実施形態に係る流れ点灯式照明システム、及び同システムに用いられる制御装置について図４及び図５を参照して説明する。図４は、本実施形態による流れ点灯式照明システム１、及び同システムに用いられる制御装置２の電気的構成を示す。本実施形態による流れ点灯式照明システム１、及び同システムに用いられる制御装置２では、上記実施形態に係るそれらと比べて、さらに、制御装置２ｉ＋１が、ＬＥＤ３Ｍ＋１を点灯制御するための制御信号を、前段の制御装置２ｉに対して送信する。ＬＥＤ３Ｍ＋１は、制御装置２ｉ＋１により、最初に点灯状態が変移される光源である。
【００２４】
制御装置２ｉ＋１のマイコン５ｉ＋１は、前段の制御装置２ｉからの通知信号を受信部４ｉ＋１により受信したとき、最初に点灯するＬＥＤ３Ｍ＋１対して送信する制御信号を送信部６ｉ＋１により前段の制御装置２ｉに対して送信する。このため、前段の制御装置２ｉは、自装置による流れ点灯の終了時間と、後段の制御装置２ｉ＋１による流れ点灯の開始時間との時間間隔を把握することができる。
【００２５】
前段の制御装置２ｉのマイコン５ｉは、制御装置２ｉ＋１からの制御信号を受信部４ｉにより受信したとき、この制御信号を受信した時間に基づき、通知信号の送信タイミングを制御する。
【００２６】
図５は、制御装置２ｉによる通知信号の送信タイミング制御動作を示す。まず、制御装置２ｉが、一連の流れ点灯のための通知信号を後段の制御装置２ｉ＋１に対して送信し、後段の制御装置２ｉ＋１がこの通知信号を受信する（＃２０１）。後段の制御装置２ｉ＋１は、この通知信号をトリガとして点灯タイミングを把握し、前段の制御装置２ｉによる流れ点灯を引き継いで、最初にＬＥＤ３Ｍ＋１を点灯させる。ＬＥＤ３Ｍ＋１点灯のため、点灯を指示するＯＮ信号がＬＥＤ３Ｍ＋１に対して制御装置２ｉ＋１のマイコン５ｉ＋１から送出される。この際、マイコン５ｉ＋１は、このＯＮ信号を前段の制御装置２ｉに対して送信部６ｉ＋１により送出する（＃２０２）。制御装置２ｉは、後段の制御装置２ｉ＋１からのＯＮ信号を受信したとき、ＬＥＤ３Ｍ消灯時間からこのＯＮ信号の受信時間までの時間、すなわちＬＥＤ３Ｍ消灯からＬＥＤ３Ｍ＋１点灯までの消灯時間Ｔｄを計測する（＃２０３）。
【００２７】
制御装置２ｉのマイコン５ｉは、この消灯時間Ｔｄと、流れ点灯におけるＬＥＤ３の消灯と次のＬＥＤ３の点灯との間の時間である消灯時間ＴＯＦＦとを比較する。消灯時間Ｔｄと消灯時間ＴＯＦＦとの比較の結果、消灯時間Ｔｄが消灯時間ＴＯＦＦより長い場合（＃２０４でＹｅｓ）、制御装置２ｉのマイコン５ｉは、通知信号の送信タイミングを早める（＃２０５）。一方、消灯時間Ｔｄが消灯時間ＴＯＦＦより短い場合（＃２０４でＮｏで、且つ、＃２０６でＹｅｓ）、マイコン５ｉは通知信号の送信タイミングを遅らす（＃２０７）。送信タイミングを早める時間、或いは遅らす時間は、消灯時間Ｔｄと消灯時間ＴＯＦＦとの差分である。
【００２８】
消灯時間Ｔｄが消灯時間ＴＯＦＦと等しいとき（＃２０６でＮｏ）、送信タイミングの調整は行なわれない。通知信号の送信タイミング制御後、さらに流れ点灯を行なう必要がある場合（＃２０８でＮｏ）、＃２０１の動作が再度行なわれる。この場合、幾度も送信タイミング制御が行なわれるので、誤差が少なくなり、漸進的に、より正確に消灯時間Ｔｄと消灯時間ＴＯＦＦとが等しくされる。流れ点灯が終了した場合は（＃２０８でＹｅｓ）、通知信号の送信タイミング制御に係る一連の動作は終了する。
【００２９】
上記の動作により、計測された消灯時間Ｔｄに基づいて、通知信号の送信タイミングを自動で制御することが可能となる。また、上記の送信タイミング調整により、制御装置２ｉによるＬＥＤ３１〜３Ｍの流れ点灯と、制御装置２ｉ＋１によるＬＥＤ３Ｍ＋１〜３Ｎの流れ点灯とが一続きとなり、一連の流れ点灯がスムーズに見える。さらに、何らかの要因により、制御装置２ｉの送信部６ｉから制御装置２ｉ＋１の受信部４ｉ＋１への通知信号の送達が遅れた場合や、通知信号を制御装置２ｉ＋１のマイコン５ｉ＋１が受信してからＬＥＤ３Ｍ＋１が点灯するまでの処理時間が変動する場合においても、一連のスムーズな流れ点灯が可能となる。
【００３０】
本発明は、上記のような実施形態の構成に限定されるものでなく、使用目的に応じ、様々な変形が可能である。例えば、光源はＬＥＤ３１〜３Ｎに限定されず、白熱灯、蛍光灯、有機ＥＬ（ｅｌｅｃｔｒｏ−ｌｕｍｉｎｅｓｃｅｎｃｅ）等の発光体であってもよい。また、マイコン５ｉ、５ｉ＋１から送信される制御信号は、ＯＮ／ＯＦＦ信号に限定されず、ＬＥＤ３１〜３Ｎを高輝度状態又は低輝度状態に切り換える信号であっても構わない。
【図面の簡単な説明】
【００３１】
【図１】本発明の第１の実施の形態に係る流れ点灯式照明システム、及び同システムに用いられる制御装置の電気的構成を示すブロック図。
【図２】上記制御装置による流れ点灯動作を示すフローチャート。
【図３】上記制御装置から送信される通知信号の送信タイミングを示す図。
【図４】本発明の第２の実施の形態に係る流れ点灯式照明システム、及び同システムに用いられる制御装置の電気的構成を示すブロック図。
【図５】上記制御装置による通知信号の送信タイミング制御動作を示すフローチャート。
【符号の説明】
【００３２】
１  流れ点灯制御システム
２ｉ、２ｉ＋１  制御装置
３１〜３Ｎ  ＬＥＤ（光源）
４ｉ、４ｉ＋１  受信部
５ｉ、５ｉ＋１  マイコン（点灯制御部）
６ｉ、６ｉ＋１  送信部
【図１】
2007317483.tif 000003
【図２】
2007317483.tif 000004
【図３】
2007317483.tif 000005
【図４】
2007317483.tif 000006
【図５】
2007317483.tif 000007